(57)【要約】【目的】ユーザが写真フイルムの画像によるスライド・ショー（番組）を容易に楽しめるようにする。【構成】情報記録部付写真フイルムから画像データ，フイルムごとのフイルム情報ＩＸ１および各駒ごとのフレーム情報ＩＸ２を読取り，ユーザ用光ディスクに記録する。ユーザ用光ディスクには，フイルム画像と合成するための枠画像等の画像部品（画像データ），およびＢＧＭ，ナレーション等の音部品（音データ）からなる資源も記録しておく。再生装置において，再生する順序を示す情報，フイルム画像と画像部品との組合せに関する情報，サウンド（音）の発生を制御する情報等から構成される番組情報を作成し，ユーザ用光ディスクに記録する。この番組情報にしたがって，指定された順序で，フイルム画像と画像部品とを合成して表示するとともに，音部品によるサウンドを流す。これがスライド・ショーである。【選択図】　　　　図２２
2004079156.tif 000002
【特許請求の範囲】
【請求項１】
フイルム情報記録部と各駒ごとに設けられたフレーム情報記録部とを備えた現像後のフイルムから，そこに記録された各駒の画像を読取り，その画像を表わすディジタル画像データを生成するとともに，上記フイルム情報記録部およびフレーム情報記録部にそれぞれ記録されたフイルム情報およびフレーム情報を読取るフイルム読取装置，ならびに
上記フイルム読取装置により得られたディジタル画像データ，ならびに上記フイルム情報およびフレーム情報を，各駒のフレーム情報については各駒のディジタル画像データにそれぞれ関連づけて，ユーザ用記録媒体に記録するユーザ用記録媒体記録装置，
を備えたラボラトリィ・システム。
【請求項２】
上記ディジタル画像データはその縮小画像データを含み，上記ユーザ用記録媒体記録装置は縮小画像データを各駒のディジタル画像データに関連づけてユーザ用記録媒体に記録する，請求項１に記載のラボラトリィ・システム。
【発明の詳細な説明】
【０００１】
【技術分野】
この発明は現像所（現像，焼付サービスが可能な写真店等を含む）（ラボラトリィという）において好適に用いられるラボラトリィ・システム，その動作制御方法，ならびに主に顧客（ユーザ）の自宅，家庭等に置かれる再生装置および再生方法に関する。
【０００２】
【背景技術】
現像した写真フイルム（ネガ・フィルムまたポジ・フイルム）に記録されている各駒の画像をフイルム・スキャナで読取り，ディジタル画像データに変換してディスク状記録媒体（光ディスク，磁気ディスク等）に記録することが考えられている。このディスク状記録媒体をユーザが所有する（または利用可能な）プレイヤで再生することができる。現在考えられているのは，ディスク状記録媒体に記録されている画像データによって表わされる画像を，記録の順番に単に表示装置に表示するだけのものか（自動再生），ユーザの指定した駒の画像を表示装置に表示するだけのものである（マニアル再生）。
【０００３】
一方，透明磁性体からなる細長い帯状の情報記録部を備えた写真フイルムが検討されている。この写真フイルムには，フイルムごとの情報（情報ＩＸ１）と，駒ごとの情報（情報ＩＸ２）とが記録可能である。これらの情報をどのように活用するかということは充分に考えられているとは未だ言い難い。
【０００４】
【発明の開示】
この発明は，情報記録部に記録された情報を写真フイルムの画像とともに記録媒体に記録できるラボラトリィ・システムおよびその動作制御方法を提供することを目的とする。
【０００５】
この発明はまた，情報記録部の情報と画像データとが記録された記録媒体を用いて，見ごたえのある番組をつくる装置および方法を提供することを目的とする。
【０００６】
この発明はさらに，作成された番組を再生する装置および方法を提供することを目的とする。
【０００７】
この発明によるラボラトリィ・システムは，フイルム情報記録部と各駒ごとに設けられたフレーム情報記録部とを備えた現像後のフイルムから，そこに記録された各駒の画像を読取り，その画像を表わすディジタル画像データを生成するとともに，上記フイルム情報記録部およびフレーム情報記録部にそれぞれ記録されたフイルム情報およびフレーム情報を読取るフイルム読取装置，ならびに上記フイルム読取装置により得られたディジタル画像データ，ならびに上記フイルム情報およびフレーム情報を，各駒のフレーム情報については各駒のディジタル画像データにそれぞれ関連づけて，ユーザ用記録媒体に記録するユーザ用記録媒体記録装置を備えているものである。
【０００８】
ここでラボラトリィ・システムとは，現像所等のいわゆるラボラトリィに設置されるもののみならず，ユーザの家に設置されるものも含む。すなわち，ラボラトリィ・システムは，写真フイルムの現像装置等と必ずしも関連づけて考える必要はない。主にラボラトリィで利用されることを想定して分りやすくするためにこの名称が用いられているにすぎない。
【０００９】
この発明によるラボラトリィ・システムの動作制御方法は，フイルム情報記録部と各駒ごとに設けられたフレーム情報記録部とを備えた現像後のフイルムから，そこに記録された各駒の画像を読取り，その画像を表わすディジタル画像データを生成するとともに，上記フイルム情報記録部およびフレーム情報記録部にそれぞれ記録されたフイルム情報およびフレーム情報を読取り，得られたディジタル画像データ，ならびに上記フイルム情報およびフレーム情報を，各駒のフレーム情報については各駒のディジタル画像データにそれぞれ関連づけて，ユーザ用記録媒体に記録するものである。
【００１０】
この発明によると，写真フイルムから画像のみならずその情報記録部に記録されたフイルム情報（フイルムごとの情報）およびフレーム情報（駒ごとの情報）が読取られ，ユーザ用記録媒体に記録される。このような記録媒体のフイルム情報とフレーム情報は後述する再生装置において画像再生のために有効に用いられる。
【００１１】
ユーザ用記録媒体には二種類ある。その一つは，ディジタル画像データによって表わされる画像を再生するときに用いる画像部品および音部品の少なくとも一方を含む資源があらかじめ記録されているものである。他の一つはこのような資源が記録されていないものであり，この場合には，画像部品および音部品の少なくとも一方を含む資源であって，上記フイルム情報に対応するものがラボラトリィ・システムによってユーザ用記録媒体に記録される。
【００１２】
画像部品とはそれ単独で，またはフイルムから得られた画像と合成されて，より望ましい，見やすい，見ごたえのある，美しい画面とするために用いられる画像データである。音部品とは，画像表示のときに流される音（音楽，ナレーション，効果音等）を表わすデータである。
【００１３】
番組において，画像部品は原則としてフイルム画像と１対１に関係づけられるが，音部品はフイルム画像と１対１にする必要は必ずしもない。
【００１４】
このように，画像部品および音部品の少くともいずれか一方を含む資源がユーザ用記録媒体に記録されるので，フイルム画像を再生するときに，これらの資源を用いて番組（スライド・ショー）を作成することができる。
【００１５】
番組の作成については再生装置の箇所で述べるが，ラボラトリィ・システムに番組を作成させてもよい。
【００１６】
好ましい実施態様においては，ディジタル画像データはその縮小画像データを含む。縮小画像データは，ユーザ用記録媒体に記録されている画像の全体を把握するときに，または検索するときに有用である。
【００１７】
この発明による再生装置は，複数駒の画像データからなる一群の画像データ（１本のフイルムの画像データに対応），これら一群の画像データに関する第１の情報（上述したフイルム情報に対応），各駒の画像にそれぞれ関する第２の情報（上述したフレーム情報に対応），ならびに一群の画像データを再生するときに用いる画像部品および音部品の少なくとも一方を含む資源が記録された記録媒体について，少なくとも，一群の画像データの存在と，第１の情報によって関連づけられた資源の存在を確認する手段，ならびに上記存在が確認されたときに，再生すべき順番および画像と資源との組合せに関する番組情報を作成して上記記録媒体に記録する番組作成手段を備えている。
【００１８】
この発明による再生方法は，複数駒の画像データからなる一群の画像データ，これらの一群の画像データに関する第１の情報，各駒の画像にそれぞれ関する第２の情報，ならびに一群の画像データを再生するときに用いる画像部品および音部品の少なくとも一方を含む資源が記録された記録媒体（ユーザ用記録媒体に対応）において，少なくとも，一群の画像データの存在と，第１の情報とによって関連づけられた資源の存在を確認し，上記存在が確認されたときに，再生すべき順番および画像と資源との組合せに関する番組情報を作成して上記記録媒体に記録するものである。
【００１９】
この再生装置および再生方法は，番組作成装置および番組作成方法とそれぞれ呼ぶこともできる。
【００２０】
記録媒体に複数群の画像データがあるときには，その中から番組を作成すべき群が選択されよう。
【００２１】
番組の作成は，最も簡単にはあらかじめ定められた順序であらかじめ定められた組合せで行なわれる。しかしながら，ユーザの希望に応じて，順序や組合せを指定または変更することができるようにすることができる。
【００２２】
好ましくは，画像部品および音部品の中に，番組の最初に再生されるべきものが含まれる。
【００２３】
このようにして作成された番組にしたがって，画像の再生が行なわれる。
【００２４】
すなわち再生装置は，番組情報に含まれる順番にしたがって上記記録媒体から画像データと，番組情報に含まれる組合せ情報によってその画像データと組合わされた少なくとも画像部品とを読出す手段，読出された画像データと画像部品とを合成する手段，および合成された画像データによって表わされる画像を表示する手段を備えている。
【００２５】
好ましくは，番組情報にしたがって音部品を読出し，音部品によって表わされる音を再生する手段がさらに設けられる。
【００２６】
さらに好ましくは，上記第２の情報によって表わされる文字の画像を生成する手段，および生成された文字画像とそれに対応する画像とを合成して表示する手段が再生装置に設けられる。
【００２７】
このようにして，写真フイルムに記録されたフイルム情報（第１の情報）およびフレーム情報（第２の情報）を有効に活用し，フイルム画像をユーザが楽しむことのできる形態で，ユーザの好みに応じて，スライド・ショーとして再生することができるようになる。
【００２８】
必要であれば，またはユーザの好みに応じて，追加の画像部品または追加の音部品の少なくとも一方が入力され，入力された追加の画像部品または音部品に識別符号が付されて記録媒体に記録される。ユーザは，これらの追加画像部品または追加音部品を番組作成に利用することができる。
【００２９】
好ましい実施態様では再生装置にプリンタが接続される。ユーザは表示されている画像のうちの所望のものについてプリンタを用いてその写真を作成することができる。表示される画像はできるだけ長い時間表示され続けていることが好ましい。このため，プリント・モードが設定されたときには，番組情報とは関係なく，表示画像の切換時間（表示時間）を任意にユーザが設定できる，または自動設定されることが好ましい。
【００３０】
【実施例】
（１）　情報記録部付写真フイルムおよびカメラ
図１は新しいタイプの写真フイルム，すなわち情報記録部付写真フイルムを示している。
【００３１】
写真フイルム１は，パトローネ４内に回転自在に設けられたスプール（図示略）にその端末が固定されている。図１は写真フイルム１がパトローネ５から引出された状態を示している。
【００３２】
写真フイルム１の先端部にはカメラの写真フイルム巻取軸の一部に係合させるためのいくつかのパーフォレーション２ａが形成されている。
【００３３】
先端部の適当な長さの部分を除いて，写真フイルム１の全体には画像を記録する領域４がある（この領域は写真撮影によって形成されるもので，図１では説明の便宜のために鎖線で示されている）。
【００３４】
画像記録領域４の両側に細長い帯状の情報記録部３ｂ，３ｄが設けられている。また，一方の情報記録部３ｂの間に，各画像記録領域４に対応して１つずつパーフォレーション２ｂが形成されている。このパーフォレーション２ｂは主に画像記録領域４をカメラにおける結像位置に位置決めするために用いられる。
【００３５】
写真フイルム１の先端部分にもまた情報記録部３ａ，３ｃがその両側に設けられている。
【００３６】
情報記録部３ａ，３ｂ，３ｃおよび３ｄは一般には透明磁性体を塗布することにより形成される磁気記録層である。写真フイルム１の一側に設けられた情報記録部３ａおよび３ｂは一般にラボラトリィ［フイルム現像所（店），写真店等のフイルムの現像と印画紙への焼付けまたは焼増しを行う場所：プロセッシング・ラボラトリィ］において使用される。写真フイルム１の他側に設けられた情報記録部３ｃおよび３ｄは一般にユーザまたはカメラが情報（データ）を記録するために用いられる。
【００３７】
先端部分の情報記録部（リーダ情報記録部）３ａおよび３ｃは１本のフイルム１に関する情報の記録のために用いられる。各画像記録領域４に対応して設けられた情報記録部（フレーム情報記録部）３ｂおよび３ｄは各領域４に記録された画像に関する情報の記録のために用いられる。
【００３８】
一例を挙げると，ユーザが利用するリーダ情報記録部３ｃには，その写真フイルムを用いて撮影された画像が関係するイベントを表わす情報が記録される。イベントとは，たとえば運動会，誕生日，パーティ，結婚式等である。これを情報ＩＸ１と呼ぶ。
【００３９】
ユーザが利用するフレーム情報記録部３ｄに記録される情報には，ユーザがカメラに入力する情報（たとえば，画像を端的に表わすタイトルなど）と，カメラが自動的に記録する情報（たとえばその駒の画像を撮影するときに用いたシャッタ速度など）とが含まれる。これらの情報を情報ＩＸ２と呼ぶ。ユーザが入力する情報のみを情報ＩＸ２としてもよい。
【００４０】
図２は写真フイルムの情報記録部におけるデータ配置（フォーマット）を示している。このデータ・フォーマットは情報ＩＸ１およびＩＸ２の両方に適用され，ＳＳ，ＶＥＲ，ＩＤ，ＬＮＧ，ＤＡＴＡ，ＬＣＲおよびＥＳが含まれる。
【００４１】
ＳＳはＳｔａｒｔ　Ｓｅｎｔｉｎａｌの略で，データ列の開始を表わすコードである。ＶＥＲは記録フォーマット（規格）のバージョンを示す。ＩＤは記録される情報の種類（ＩＸ１，ＩＸ２など）を表わす。ＬＮＧは次に続くデータの長さを示す。ＤＡＴＡは記録したい，または記録すべき情報を表わすデータである。ＬＣＲはＣＲＣチェック・コードである。ＥＳはＥｎｄ　Ｓｅｎｔｉｎａｌの略で，データ列の終了を表わすコードである。
【００４２】
このようなフォーマットのデータ列が一つの情報記録部に１または複数個設けられる。たとえば，フレーム情報記録部３ｄにはユーザが入力したデータを表わすデータ列と，カメラが書込むべきデータを表わすデータ列とが記録される。必要に応じて，信頼性を高めるために，情報記録部には同一のデータ列が並列に複数個記録される。
【００４３】
このような情報記録部付写真フイルムを取扱うことが可能なカメラの構成の一部が図３に示されている。この図では写真フイルムの情報記録部への記録に関する構成が主に示され，撮像光学系等の構成については図示が省略されている。
【００４４】
パトローネ５はカメラ内のフォークに回転自在に支持される。パトローネ５から引出された写真フイルム１の先端部は写真フイルム巻取軸１６に巻付けれる。パーフォレーション２ｂを検出する光電センサ１２が設けられており，この検出信号は制御装置１０に与えられる。制御装置１０はモータ１４を駆動して巻取軸１６を回転させて写真フイルム１を順次巻取らせるとともに，光電センサ１２の検出信号に基づいて画像記録領域４が結像位置にくるように写真フイルム１を撮影ごとに位置決めする。
【００４５】
ユーザ用の情報記録部３ｃ，３ｄに情報を記録するために磁気ヘッド１１が情報記録部３ｃ，３ｄの走行路上に設けられている。写真フイルム１が巻取られる（走行する）過程で，制御装置１０の制御の下に，ヘッド駆動回路１３を介して，入力装置１５から入力された情報または制御装置１０が生成した情報が，情報記録部３ｃ，３ｄに磁気記録されることになる。
【００４６】
入力装置１５は数字や文字を入力するものである。たとえば，入力装置１５はテンキー，アルファベット・キー等を含む。必要に応じて入力装置１５は表示装置を含み，キー入力された情報が表示装置に表示される。キーの数を少なくするために，一つのキーを押すごとに表示される文字が変化し，ユーザが表示された文字を選択できる構成とすることもできる。
【００４７】
この実施例ではイベント情報，すなわち情報ＩＸ１の種類があらかじめ定められており，ユーザがその中から所望のものを選択する。情報ＩＸ１には９９種類あり，これらに０１〜９９のコードが割当てられている。たとえば，コード０１は運動会，コード０２は誕生日等である。したがって，リーダ情報記録部３ｃにはユーザが選択したコードが記録されれば足りる。
【００４８】
情報ＩＸ２は一般には文字コードまたは数字コードとして入力装置１５から入力される。後に示すように，「スタートまえ」，「スタート」，「おゆうぎ」等の文字を表わすコードがフレーム情報記録部３ｄに記録されることになる。
【００４９】
（２）　ラボラトリィ・システムと再生装置の運用の概要
ラボラトリィ・システムおよびユーザの持つ再生装置の具体的構成およびその動作の説明に先だち，それらの運用について概説しておく。これによって，全体的な流れが理解できるであろう。
【００５０】
図４はユーザの持つ未現像フイルム（上述した情報記録部付写真フイルム）をラボラトリィで現像しかつ写真をプリント（焼付）するときのラボラトリィ・システムの使用（運用）形態を示している。
【００５１】
ユーザはカメラで写真撮影をした後に，一般にその写真フイルムをラボラトリィで現像しかつ写真をプリントしてもらう。このときラボラトリィでは，現像したフイルムから読取った画像を表わす画像データおよびフイルムから読取った情報ＩＸ１，ＩＸ２をディスクに記録し，そのディスク（これをユーザ用ディスクという）をユーザに渡す。ユーザの持つ未現像フイルムはラボラトリィに直接に，または取扱い店，写真店等を介してラボラトリィに持ち込まれる。このとき一般には注文書（伝票）が作成される。
【００５２】
ラボラトリィでは現像装置を用いて未現像フイルムの現像処理が行なわれる。この後，現像したフイルムを用いて焼付装置で印画紙に焼付けることにより，フィルムに表わされた画像の写真が作成される。写真の作成は，焼付装置を用いることなく，写真プリンタを用いて行なってもよい。情報記録部付写真フイルムの場合には，フイルムは複数駒分の長さに切断されずに，元の長いままに保持され，パトローネ（または他の容器）内に巻取られて保存される。写真フイルムのラボラトリィ用情報記録部３ａ，３ｂに現像条件，焼付条件等の情報が書込まれる。
【００５３】
続いて，現像されたフイルムの画像と情報記録部３ｃ，３ｄ（および必要に応じて３ａ，３ｂ）の情報とがフイルム・スキャナによって読取られる。読取られた画像データ（必要に応じて適切な画像データとするために加工処理が行なわれる）および情報記録部３ｃ，３ｄ（および３ａ，３ｂ）の情報が，一方では生成された識別コードとともに，ラボラトリィ・システムのディスク（以下，ラボ用ディスクという）に格納される。
【００５４】
写真フイルムから読取られた画像データおよび情報記録部の情報は，他方では，適切に加工および編集されて，必要ならば識別コードとともに，ユーザ用ディスクに記録される。
【００５５】
ユーザ用ディスクにはまた，再生装置に番組を自動作成するために用いられる画像部品（パーツ，または資源）および音（サウンド）部品が記録される，またはあらかじめ記録されている。
【００５６】
生成された識別コードを表わすバーコードが印刷されたラベルがラベル・プリンタから発行される。このラベルは少なくとも現像後のフイルムに貼付される。好ましくはユーザ用ディスクにもラベルが貼付される。
【００５７】
ユーザには，現像後のラベルを貼付したフイルム，プリントされた写真，および（ラベルが貼付された）ユーザ用ディスクが渡される。もちろん，代金の授受も行なわれよう。
【００５８】
このようにしてユーザに渡されたユーザ用ディスクを再生装置に装填することにより，ユーザは後に詳述するように，ユーザ用ディスクに記録された写真の画像を，画像部品と合成した上で，音部品によって表わされる音とともに再生して楽しむことができる。合成された画像と音との組合せを番組という（合成された画像のみ，または写真画像と音との組合せのみを番組といってもよい）。番組の作成は再生装置が自動的に行なうが，ユーザは自動作成された番組を変更したり修正したりすることができる。もちろん，番組をはじめてからユーザが作成するようにしてもよい。
【００５９】
ユーザがユーザ用ディスクのみを希望する場合には写真の焼付は不要となろう。
【００６０】
ユーザ用ディスクおよびラボ用ディスクは，フイルムを用いないで写真の焼増を行うために用いることもできる。
【００６１】
焼増の注文はユーザ用ディスクに注文データを記録して，再生装置から注文データをラボラトリィ・システムに伝送することにより，または伝票に注文内容を記入することにより行なわれる。
【００６２】
ユーザ用ディスクへの注文データの記録は再生装置（注文機能をもつ場合）を用いて行なわれる。ユーザは注文データを記録したユーザ用ディスクに直接に，または取扱店を通してラボラトリィに渡すことになる。
【００６３】
注文データを再生装置（注文機能をもつ場合）からラボラトリィ・システムに通信回線を通して伝送する場合には，ユーザはユーザ用ディスクをラボラトリィ・システムに渡す必要はない。ユーザ用ディスクはユーザが再生装置を用いて注文データを作成するときに（注文する画像の確認等の為）用いられるにすぎない。ラボラトリィ・システムで作成された焼増写真は郵送，宅配便等でユーザに送られるであろう。また代金はクレジットで支払われることになるであろう。
【００６４】
ラボラトリィに渡されたユーザ用ディスクに貼付されたラベルの識別コードがバーコード・リーダにより読取られる。または，ユーザ用ディスクに記録された注文データに含まれる識別コードが磁気ディスク読取装置で読取られる。
【００６５】
ユーザ用ディスクにより読取られた，または通信回線を通して伝送された注文データに含まれる識別コードが，ラボラトリィ・システムのラボ用ディスクに保存されている画像データに付随している識別コードと照合される。
【００６６】
ラボラトリィ・システムにおけるラボ用ディスクには画像データが一定期間（２，３ヵ月とか，半年とか，１年等）保存され，この一定期間が経過すると消去される。上記の照合処理により，焼増を注文された画像データがラボ用ディスクに保存されているかどうかが確認される。
【００６７】
目的とする画像データがラボ用ディスクに保存されていれば，ユーザ用ディスクに記録された注文データが読取られる。ユーザ用ディスクから読取られた注文データまたは受信した注文データにしたがって，注文されたフイルムの駒の画像データがラボ用ディスクから読出され，写真プリンタを用いて注文された大きさ，条件の写真が注文された枚数プリントされる。
【００６８】
プリントされた写真とユーザ用ディスク（ディスクを用いて注文した場合）がユーザに渡される（送られる）。
【００６９】
注文された画像データがラボ用ディスクに保存されていない場合には，ユーザの持つフイルムを用いて写真の焼増が行なわれるであろう。
【００７０】
識別コードはユーザ用ディスク，フイルムおよびラボ用ディスクに保存された画像データを同定するために用いられ，特に焼増のときに利用される。これらの同定を別の形態で行なえるならば，または焼増がフイルムに基づいて行なわれるならば識別コードは不要である。ラボ用ディスクへの画像データの保存も不要となろう。特にこの発明に関連する点からいえば，識別コードは全く用いなくてもよい。ユーザ用ディスクに画像データや情報ＩＸ１，ＩＸ２が蓄えられればよい。
【００７１】
（３）　ラボラトリィ・システム
図５はフイルム現像所（店），写真店等のフイルムの現像と，印画紙の焼付けまたは焼増しを行う場所（ラボラトリィ）に設置されるラボラトリィ・システムを示している。
【００７２】
ラボラトリィには，顧客（ユーザ）から預った未現像フイルム（ネガまたはポジ）を現像する現像装置４７，および現像されたフイルムに現われた画像を印画紙に焼付け（または焼増し）する焼付装置４８が設けられている。現像装置４７と焼付装置４８とが一体化されたタイプのものもある。いずれにしても，これらの現像装置４７および焼付装置４８は公知のものである。必要に応じてこれらの装置４７，４８はラボラトリィ・システムのコンピュータ・システム２０と電気的に接続される。ラボラトリィ・システムにこれらの装置４７，４８を含ませて考えても，含ませなくてもどちらでもよい。
【００７３】
ラボラトリィ・システムはコンピュータ・システム２０を含み，このコンピュータ・システム２０に入力装置２４，フイルム・スキャナ３０，ユーザ用ディスク記録装置４１，ラベル・プリンタ４２，写真プリンタ４３，ディスク・ドライバ４４，ならびに再生および表示制御回路２５がバス（またはシリアル通信線）により接続されている。必要に応じて通信装置４５がコンピュータ・システム２０に接続される。再生および表示制御回路２５には表示装置２６（たとえばＣＲＴ表示装置，液晶表示装置など）が接続される。
【００７４】
入力装置２４はキーボードやマウスを含み，コンピュータ・システム２０またはこれに接続された各種装置３０，４１〜４６に与える各種データ，コマンド等を入力するために用いられる。また，表示装置２６の表示画面に表示されたメニューにおける選択，画像の指定等を行うために入力装置２４がラボラトリィ・システムのオペレータ（現像所における作業員等）によって操作される。
【００７５】
コンピュータ・システム２０は装置３０，４１〜４６を個別に制御するとともにラボラトリィ・システム全体の動作を統括するものである。コンピュータ・システム２０はまた，後述する識別コードを発生する。コンピュータ・システム２０にはＣＰＵ，メモリ（半導体メモリ，フロッピィ・ディスク，ハード・ディスク等），その他の周辺装置が含まれる（図６参照）。
【００７６】
フイルム・スキャナ３０は現像された写真フイルムに表わされた画像を読取ってディジタル画像データを生成するとともに，写真フイルムの情報記録部（少なくとも３ｃおよび３ｄ）に記録された情報ＩＸ１，ＩＸ２を読取るものである。
【００７７】
ユーザ用ディスク記録装置４１はユーザ用ディスク（可搬型記録媒体）に，フイルム・スキャナ３０が写真フイルムから読取った原ディジタル画像データおよび種々の縮小ディジタル画像データ（インデックス画像データを含む）ならびに情報ＩＸ１，ＩＸ２を編集した上で記録するものである。
【００７８】
ユーザ用ディスクの代表的なものには光ディスク（光磁気ディスク，相変化型光ディスク等の書換え可能型光ディスク），追記型光ディスク，磁気ディスク（フロッピィ・ディスク）などがある。ユーザ用記録媒体として，ディスク状記録媒体に代えて，半導体メモリ・カード，磁気テープ，光テープ等を用いることもできる。
【００７９】
ユーザ用ディスク記録装置４１はさらに必要に応じて，一本の写真フイルムから得られたディジタル画像データおよび情報ＩＸ１，ＩＸ２をユーザ用ディスクに記録するときに，そのユーザ用ディスクに，フイルムごとの識別コードを記録する。識別コードは基本的にはフイルムを識別するためのものであるが，どのラボラトリィ（または取扱店）で，どのラボラトリィ・システムで処理されたかが明確にできるものであることが好ましい。
【００８０】
ラベル・プリンタ４２は上述した識別コードを表わしたラベルを印刷するものである。識別コードは，たとえばバーコードに変換されてラベルに印刷される。
【００８１】
フイルム用およびユーザ用ディスク用の２枚のラベルが作成される。これらのラベルは大きさが異なってもよいが，そこに表わされた識別コードは同じものである。フイルム用ラベルはフイルム（パトローネまたはフイルム・ケースを含む）に貼付され，ユーザ用ディスク用ラベルはユーザ用ディスク（ディスク・カセット，ディスク・カートリッジを含む）に貼付される。
【００８２】
ユーザ用ディスクに識別コードが表わされたラベルを貼付した場合には，ユーザ用ディスクに識別コードを記録しなくてもよい。
【００８３】
ユーザ用ディスクおよびフイルムに貼付されたラベルのバーコードを読取るために，ラボラトリィ・システムにはバーコード・リーダ４６が好ましくは設けられる。バーコード・リーダ４６によって読取られたバーコードはコンピュータ・システム２０に与えられ，その識別コードが解読される。識別コードが用いられない場合にはラベル・プリンタ４２やバーコード・リーダ４６は不要となろう。
【００８４】
写真プリンタ（ハード・コピー・ユニット）４３は，ラボ用ディスク（ラボラトリィ用ディスク）に記録された原ディジタル画像データのうち，指定されたもの（焼増を注文されたもの）を用いて，その原ディジタル画像データによって表わされる画像を紙にプリントするものである。このプリントされたものが焼増しされた写真である。
【００８５】
フイルムを現像した後，そのフイルムに表わされた画像をこの写真プリンタ４３を用いて紙にプリントし，焼付写真を作成してもよい。この場合には焼付装置４８を不要とすることができる。すなわち，フイルム・スキャナ３０でフイルムを読取ることにより得られた原ディジタル画像データが，（必要に応じてホスト・コンピュータのメモリに一旦格納されたのち）写真プリンタ４３に与えられる。
【００８６】
ディスク・ドライバ４４はフイルム・スキャナ３０から出力される原ディジタル画像データおよび情報記録部の情報（ＩＸ１，ＩＸ２を含む）を（必要に応じてホスト・コンピュータのメモリに一旦格納したのち）ラボ用ディスクに記録するとともに，指定された原ディジタル画像データ等をラボ用ディスクから読出すものである。読出された原ディジタル画像データは上述したように写真プリントのために写真プリンタ４３に与えられる。ラボ用ディスクとしては，ハード・ディスク，光ディスク，光磁気ディスク等が用いられよう。ラボ用ディスクに代えて磁気テープを用いてもよい。
【００８７】
フイルム・スキャナ３０から出力される原ディジタル画像データは好ましくは一本のフイルムを単位としてラボ用ディスクに記録される。このとき，そのフイルムに関連して発生した上述した識別コードも原ディジタル画像データに対応づけてラボ用ディスクに格納される。このようにして，写真フイルム，このフイルムが読取られることにより生成されかつユーザ用ディスクに記録された画像データ，および上記フイルムが読取られることにより得られかつラボ用ディスクに記録された画像データに同一の識別コードが付され，同一の画像を表わすものであることが明示される。
【００８８】
原ディジタル画像データをデータ圧縮処理し，この圧縮された画像データをラボ用ディスクに格納するようにしてもよい。この場合には，コンピュータ・システム２０においてデータ圧縮（伸張）処理が行なわれるか，またはデータ圧縮／伸張回路（ユーザ用ディスク記録装置のものと兼用してもよい）が設けられよう。
【００８９】
フイルムがカラーフイルムの場合には，原ディジタル画像データおよび縮小ディジタル画像データはカラー画像データであるのはいうまでもない。カラー画像データは，Ｒ，Ｇ，Ｂデータでも，輝度データと色差データとの組合せでも，ＮＴＳＣデータでもよい。
【００９０】
再生および表示制御回路２５ならびに表示装置２６は，ラボラトリィ・システムをオペレータが操作するときのメニュー画面等の表示，画像の表示等に用いられる。画像の表示に関して言えば，フイルム・スキャナ３０から出力される画像データによって表わされる画像，ユーザ用ディスクに書込まれるべきまたはユーザ用ディスクから読取られた縮小画像データによって表わされる画像，ラボ用ディスクから読出された原画像データによって表わされる画像が必要に応じて表示装置２６の表示画面に表示される。
【００９１】
通信装置４５は必要に応じて設けられる。通信装置４５はユーザによって使用される再生装置と公衆回線等（ＩＳＤＮを含む）を通して交信するものであり，主に再生機から伝送される注文データ（詳細は後述する）を受信するために用いられる。
【００９２】
図６はコンピュータ・システム２０およびフイルム・スキャナ３０ならびにその周辺部分の構成を示すものである。
【００９３】
コンピュータ・システム２０には，ＳＣＳＩ（Ｓｍａｌｌ　Ｃｏｍｐｕｔｅｒ　Ｓｙｓｔｅｍ　Ｉｎｔｅｒｆａｃｅ　）バスを介して，ディスク・ドライバ４４，ユーザ用ディスク記録装置４１，フイルム・スキャナ３０およびコンピュータ・システム２０内のハード・ディスク・ドライバ２５が接続されている。
【００９４】
コンピュータ・システム２０はＣＰＵ２１およびその周辺回路，メモリ装置（ＲＯＭ，ＲＡＭ，フロッピィ・ディスク等）２２，ハード・ディスク・ドライバ２５ならびにＳＣＳＩ方式によるコマンド，データの送受を行なうためのＳＣＳＩ制御部２３が含まれている。
【００９５】
フイルム・スキャナ２０は，写真フイルムに表わされた画像を撮像してその画像を表わす画像データ（たとえば２０４８×３０７２画素）を出力するとともに，写真フイルムの情報記録部３ｃ，３ｄ（および３ａ，３ｂ）に磁気記録された情報（ＩＸ１，ＩＸ２等）を読取って出力する読取装置５０，これらの画像データおよび情報等を記憶するためのメモリ（ＲＡＭ，ＲＯＭ等），コンピュータ・システム２０とのコマンド，データの送受のためのＳＣＳＩ制御部３３，ならびにフイルム画像の読取り，画像データの記憶，画像データの転送等の制御を行なうコントローラ３１を含んでいる。
【００９６】
図７はフイルム・スキャナ３０における読取装置５０の概略構成を示している。
【００９７】
写真フイルム１はパトローネ５から引出され，写真フイルム巻取軸５４に巻取られる。写真フイルム１はフイルム給送機構（図示略）によって所定速度で搬送される。
【００９８】
光源５１からの光が搬送されるフイルム１に照射される。フイルム１の画像記録領域に表わされた画像を表わす光はレンズ系５２によってＣＣＤライン・センサ５３上に結像する。ＣＣＤライン・センサ５３は写真フイルム１の長手方向と直交する方向に配列された多数の（たとえば２０４８個）の光電変換素子を含む。フイルム１が送られる過程でＣＣＤライン・センサ５３から一ライン分ずつの映像信号が画像処理装置５６に与えられる。フイルム１が一画像記録領域の長さ送られると，一駒分の画像データが得られることになる（たとえば最も細かいピッチで送られたときに２０４８×３０７２画素の解像度の画像データが得られる）。
【００９９】
画像処理装置５６はＣＣＤライン・センサ５３から得られる映像信号（またはＡ／Ｄ変換後のディジタル画像データ）を処理する信号処理回路（ホワイト・バランス回路，ガンマ補正回路，ネガ／ポジ反転回路等のうちの必要なものを含む），Ａ／Ｄ変換回路等から構成される。写真フイルム１が最も細かいピッチで送られたときに得られるディジタル画像データを原ディジタル画像データという。原画像データはコントローラ３１に与えられる。
【０１００】
原画像データはいわゆるハイビジョン用のものである。この原画像データを縦１／２　，横　１／２　に縮小することにより標準画像データが得られる。この標準画像データをさらに縦　１／８　，横　１／８　に縮小することにより縮小画像データが得られる。画像の縮小は間引き処理または複数の隣接画素ごとに平均化処理することにより行なわれる。この縮小処理はユーザ用ディスク記録装置４１により行なわれる。これらの原（ハイビジョン用）ディジタル画像データ，標準画像データおよび縮小ディジタル画像データは，必要に応じて，データ圧縮された後にユーザ用ディスクに記録される。したがって，記録装置４１には，必要に応じて，間引き回路（平均化回路），データ圧縮（伸張）回路が含まれる。間引き処理（平均化処理），データ圧縮（伸張）回路は記録装置４１においてソフトウェアにより実行することもできるし，またコンピュータ・システム２０において実行するようにしてもよい。さらに，読取装置５０においてフイルム１の送りピッチを変えることにより解像度の異なる画像データを得ることもできる。
【０１０１】
図７に示す読取装置５０において，写真フイルム１の搬送路にはその情報記録部３ｃ，３ｄが通過する位置に磁気ヘッド５５が設けられている。磁気ヘッド５５はフイルム１が送られる過程で，情報記録部３ｃ，３ｄに磁気記録されている情報を読取り，その読取信号を磁気読取回路５７に送る。磁気読取回路５７は読取信号に必要な処理（復調，エンコード等）を加えてコントローラ３１に与える。
【０１０２】
（４）　ユーザ用ディスクの構造
上述したようにユーザ用ディスクは光ディスク，磁気ディスクによって実現されるが，再生装置において番組を作成するために用いられる資源（画像部品，音部品）の観点からは２種類に分類することができる。
【０１０３】
その一つはハイブリッド・ディスク（光ディスク）といわれるもので，これはデータの書込みが不可能なＲＯＭ領域と，書込み読取り自在な領域（ＲＡＭ領域）とが一つのディスク上に設けられているものである。他の一つは，すべての領域が書込み読取り自在なもの（これを一般的なディスクという）である。
【０１０４】
図８はハイブリッド・ディスクの全体的な記録構造を示すものである。ハイブリッド・ディスクにおいては，そのＲＯＭ領域に，上述した９９種類のイベント（情報ＩＸ１）のそれぞれについて，番組を作成するための資源（その詳細は後述する）があらかじめ記録されている。ＲＯＭ領域にはディレクトリィ・エリアと資源格納エリアとが含まれる。各イベントごとに専用のハイブリッド・ディスクを作成しておく場合には，そのディスクには１種類のイベントについての資源を記録しておけば足りる。
【０１０５】
図９は一般的なディスクの全体的な記録構造を示すものである。一般的なディスクにも番組を作成するための記録エリアが設けられている。ラボラトリィ・システムにおいて，コンピュータ・システム２０内のハード・ディスク（またはフロッピィ・ディスク）に９９種類のイベントのそれぞれについて資源があらかじめ作成されている。この一般的なディスクに写真フイルムの画像データおよび情報（ＩＸ１，ＩＸ２）が記録されるときに，情報ＩＸ１によって表わされるイベントに関する資源が一般的なディスクの資源記録エリアに記録されることになる。
【０１０６】
ハイブリッド・ディスクおよび一般的なディスクにおいて，他の記録構造は同じである。すなわち，これらのユーザ用ディスク（ハイブリッド・ディスクの場合にはそのＲＡＭ領域）には，ディレクトリィ・エリア，インデックス・ファイル・エリアおよびアルバム・エリアが設けられている。これらのエリアには写真フイルムの画像データや情報がユーザ用ディスク記録装置４１によって記録される。
【０１０７】
ユーザ用ディスクにはさらに，スクリプト・ファイル，画像キャスト・ファイル，音キャスト・ファイル，ならびに追加画像ファイルおよび追加音ファイルのエリアが設けられている。これらのエリアには，再生装置によって自動的に，または再生装置を用いてユーザによって，後に詳述する各種データ（コマンド）が記録されることになる。
【０１０８】
図１０はユーザ用ディスクに設けられたディレクトリィ，インデックス・ファイルおよびアルバムの構造を示すものである。１つのアルバムについてのインデックス・ファイルの詳細が図１１に，一つのアルバムについての画像ファイルの詳細が図１２にそれぞれ示されている。ここでアルバムとは，一本の写真フイルムから得られた画像データの集まりを指す。たとえば，一本の写真フイルムに４０駒の画像が記録されていたとすると，一つのアルバムには４０駒分の画像データが含まれることになる。
【０１０９】
ディレクトリィにはアルバム名と，そのアルバムのインデックス・ファイルへのパス（各インデックス・ファイルまでのオフセットまたはアドレス長，その他のインデックス・ファイルをアクセスするために必要な情報）とがアルバムごとに記述される。アルバム名とは情報ＩＸ１によって表わされるイベント名（運動会，誕生日等）である。したがって，アルバム名はラボラトリィ・システムのコンピュータ・システム２０によって自動的に決定される。もっとも，ユーザの希望に応じて定めるようにしてもよいし，再生装置を用いてユーザがアルバム名を変更できるようにすることもできる。アルバム名は情報ＩＸ１そのものでもよい。上述した識別コードをこのアルバム名とともに記録することもできる。
【０１１０】
図１１を参照して，１つのアルバム（画像ファイル）についてのインデックス・ファイルには，インデックス・ファイル・ヘッダ，このアルバムに含まれる画像数（駒数：これをｎとする）の画像エントリィ，ｎ個の画像のそれぞれについての縮小画像データおよび代表データが記録される。これらすべての項目のデータ長は固定であるので，ヘッダの位置からすべての項目をアクセスすることができる。
【０１１１】
ヘッダには，インデックス・ファイルであることを示すＩＤ，インデックス・ファイルの仕様のバージョン，代表画像データへのパス，このインデックス・ファイルを作成した年月日，このインデックス・ファイルを変更した年月日，このアルバム（インデックス・ファイル）に格納された画像（駒）の数（上述したｎ），このインデックス・ファイルのニック・ネーム，写真フイルムから読取った情報ＩＸ１等が記録される。フイルムのニック・ネームは再生装置を用いてユーザによって入力される。
【０１１２】
代表画像へのパスの代わりに，この位置に代表画像データを格納してもよい。代表画像データをすべての縮小画像データの末尾に配置するとあらかじめ定めておけば，代表画像へのパスは不要となる。
【０１１３】
各画像についての画像エントリィには，画像ファイルのＩＤ番号（たとえば追番またはフイルム番号），上述したアルバム名（必ずしも必要ではない）画像（駒）のＩＤ番号（駒番号），アルバム（画像ファイル）に格納されたその駒の画像データをアクセスするためのパス，その画像または画像データの属性（たとえば画像の回転方向，すなわち縦向き，横向きまたは角度等）やパラメータ（その画像を端的に表わすキーワード，その画像の明るさ，その画像を得たときのカメラにおけるシャッタ速度等）等の画像情報，フイルムから読取ったフレーム情報ＩＸ２等が記述される。画像（駒）のＩＤ番号はユーザがその画像のニック・ネームに変更することができる。
【０１１４】
縮小画像データは，上述したように，標準画像を（１／８）×（１／８）＝１／６４に縮小した画像を表わす画像データである。
【０１１５】
このように，インデックス・ファイルには，一本のフイルムについての全体的な情報が記述され，このインデックス・ファイルをみることにより（特に縮小画像データを再生して表示することにより），フイルムに含まれるすべての画像情報を知ることができる。
【０１１６】
図１２は一つの画像についての画像ファイルを示す。これは合体型画像ファイルと呼ばれるもので，絵を表わす画像データと文字を表わす画像データとを含んでいる。この画像ファイルから絵と文字の画像データを読出し，これらを合成して，絵と文字の合成画像を表示することができる。
【０１１７】
画像フィルタは，ヘッダ，画像情報領域，フレーム情報ＩＸ２領域，パス領域，および画像データ領域から構成されている。
【０１１８】
画像データ領域には，撮影した画像を表わす画像データと，文字画像を表わす画像データとが格納される。
【０１１９】
撮影した画像を表わす画像データには３種類あり，それは検索用縮小画像データＡ１と，標準画像データＡ２と，ハイビジョン用画像データＡ３とである。
【０１２０】
縮小画像データＡ１は標準画像データＡ２を間引き処理，平均化処理等により縮小（１／６４）することにより作成されたもので，主に検索処理に用いられる。すなわち，検索処理時には，多数の合体型画像ファイルから縮小画像データがそれぞれ読出され，これらの縮小画像データによって表わされる縮小画像がマルチ画面を構成するように表示画面に表示される。もっとも，インデックス・ファイルにも縮小画像データが格納されているので，この縮小画像データＡ１は必ずしも必要ではない。
【０１２１】
標準画像データＡ２はテレビジョン画面に表示するのに適した解像度をもつ画像データである。ハイビジヨン用画像データＡ３は高解像度（標準画像データの４倍）のもので，ハイビジョン表示またはプリント用に用いられる。さらに高解像度（たとえば，ハイビジョン用の４倍の解像度をもつもの，より大きなプリント画を得るため）の画像データを合体型画像ファイルに含ませることができる。自然画を表わす画像データの種類数は任意である。
【０１２２】
これらの画像データＡ１，Ａ２，Ａ３は上述のようにラボラトリィ・システムにおいて生成される。
【０１２３】
文字画像データＢはユーザが再生装置において入力することができる。したがって，ラボラトリィ・システムにおいては，一般的には作成されない。もっとも，ラボラトリィ・システムにおいて情報ＩＸ２に基づいて作成することもできる。文字画像データＢは少くとも文字の領域分だけあればよく，一画面分は必ずしも必要ない。文字画像データについても，解像度の異なるものを複数種類用意してもよい。
【０１２４】
さらに異なる絵や文字を表わす画像データを合体型画像ファイルに設けてもよいのはいうまでもない。合体型画像ファイルは２種類以上の画像を合成するものであるからである。カラー画像のみならず，白黒画像のデータを用意しておいてもよい。
【０１２５】
パス領域には，上述した各画像データＡ１，Ａ２，Ａ３およびＢをアクセスするためのデータ（パスまたはオフセット，その他のアドレスに関連するデータ）がそれぞれ記憶される。
【０１２６】
ヘッダには合体型画像ファイルであることを示すコード，この合体型画像ファイルが属するアルバムの名称（名），合体型画像ファイルの名称（名）等が格納される。
【０１２７】
情報領域には，バージョン番号，圧縮方式，画像回転情報，テーブル，作成年月日等が記述される。
【０１２８】
バージョン番号はバージョンを識別するためのＶｅｒｓｉｏｎ　１．２　とかＶｅｒｓｉｏｎ　３．５　とかの番号である。
【０１２９】
圧縮方式は画像データ領域の画像データがデータ圧縮されている場合に，その方式（たとえばＪＰＥＧ方式等）を示すものであり，これは主に自然画について適用される。
【０１３０】
画像回転情報は画像データ領域の画像データ（特に自然画の）を表示したときに，観察者に正しく見せるためには反時計回りに何度回転して表示すればよいかを示すものである。たとえば，この情報には０度，９０度，１８０　度，２７０　度などがある。
【０１３１】
テーブルは，画像データ領域に格納した画像データの種類と解像度を示すものである。たちえば，カラー（２４ビット）自然画（縮小１／６４，標準１／１，ハイビジョン４／１），文字（８ビット），画像（標準１／１）というデータが，テーブルの形で一定の配列で記述されている。この配列は，パス領域に記述したパス・データの順序と一致している。文字（８ビット）というデータは文字画像データＢが入力されたときに作成される。
【０１３２】
作成年月日はこの合体型画像ファイルを作成した年月日である。
【０１３３】
フレーム情報ＩＸ２は写真フイルムから読取った情報である。この情報ＩＸ２は画像ファイル，インデックス・ファイルの少なくともいずれか一方に記憶されればよい。
【０１３４】
合体型画像ファイルの構造をもつ画像ファイルが図１２に示されているが，ＪＦＩＦ（ＪＰＥＧ　Ｆｉｌｅ　Ｉｎｔｅｒｃｈａｎｇｅ　Ｆｏｒｍａｔ），ＴＩＦＦ（Ｔａｇ　Ｉｍａｇｅ　Ｆｉｌｅ　Ｆｏｒｍａｔ　）等の他のフォーマットの画像ファイルでもよいのはいうまでもない。
【０１３５】
（５）　写真フイルムからの画像等の読取りとユーザ用ディスクへの記録
フイルム・スキャナ３０によって写真フイルムに記録された画像および情報ＩＸ１，ＩＸ２が読取られ，これらが図８から図１２に示すデータ構造でユーザ用ディスクに記録される。
【０１３６】
より適切な画像データを得るためには，フイルム・スキャナ３０において写真フイルムの画像のプレスキャンが行なわれ，コンピュータ・システム２０のＣＰＵ２１においてプレスキャン結果に基づいて明るさ，色補正等のためのパラメータが設定される。またこのプレスキャンにおいてフイルムの情報記録部３ｃ，３ｄから情報ＩＸ１，ＩＸ２が読取られ，コンピュータ・システム２０のハード・ディスクに一時的に記憶される。その後，フイルム・スキャナ３０において，本スキャン（細かいスキャニング：細スキャン）が行なわれ，これにより得られた画像データがコンピュータ・システム２０に送られる。コンピュータ・システム２０のＣＰＵ２１は受取った画像データを編集して，ユーザ用光ディスクに書込む。
【０１３７】
図１３は，フイルム・スキャナ３０におけるプレスキャン動作を制御するコンピュータ・システム２０のＣＰＵ２１の動作を示している。図１４はフイルム・スキャナ３０におけるプレスキャン動作を表わすものである。
【０１３８】
フイルム・スキャナ３０において，電源の投入，読取るべきフイルムのセット等が行なわれる。フイルム・スキャナ３０において第１駒がスキャン位置にあるかどうかがチェックされる（ステップ８１）。上述したように，画像記録領域４の間の位置にパーフォレーション２ｂが形成されているので，これにより第１駒目かどうかが認識される。フイルムの第１駒がスキャン位置になければ巻戻しが行なわれ，第１駒がスキャン位置に位置決めされる（ステップ８２）。以上により，フイルム・スキャナ３０は動作可能な状態になる。
【０１３９】
ＣＰＵ２１はフイルム・スキャナ３０の状態をチェックし，動作可能な状態にあれば（ステップ６１でＹＥＳ　），プレスキャン用の初期パラメータをフイルム・スキャナ３０に送る（ステップ６２）。初期パラメータにはフイルムの送りピッチ（本スキャンよりも解像度を荒くする），明るさ，色補正値（これらはいずれもデフォルト値，すなわちあらかじめ定めた値である）が含まれる。
【０１４０】
この初期パラメータがフイルム・スキャナに設定されると（ステップ８３），ＣＰＵ２１はこれを確認して（ステップ６３），フイルム情報ＩＸ１を読取るようにフイルム・スキャナ３０に指示を与える（ステップ６４）。
【０１４１】
フイルム・スキャナ３０はこの指示に応答して磁気ヘッド５５によって情報記録部３ｃの情報ＩＸ１を読取り（ステップ８４），読取った情報ＩＸ１をＣＰＵ２１に送る（ステップ８５）。このとき，必要に応じてフイルムは一旦逆方向に給送され，その後順方向に送られる過程で情報ＩＸ１が磁気ヘッド５５によって読取られる。ＣＰＵ２１はフイルム・スキャナ３０から転送された情報ＩＸ１をハード・ディスク（ハード・ディスク・ドライバ２５により）一時的に格納する（ステップ６５）。
【０１４２】
この後ＣＰＵ２１は第１駒目のプレスキャン指示をフイルム・スキャナ３０に与え（ステップ６６），続いて，プレスキャンにより得られた画像データおよびフレーム情報ＩＸ２を転送するように指示を与える（ステップ６７）。
【０１４３】
これに応答してフイルム・スキャナ３０ではフイルムの第１駒の画像をスキャンしてそれを表わす画像データを得るとともに，第１駒の位置にある情報記録部３ｄに磁気記録されているフレーム情報ＩＸ２を読取る（ステップ８６）。得られたディジタル画像データおよび情報ＩＸ２はＣＰＵ２１に送られる（ステップ８７）。
【０１４４】
ＣＰＵ２１は画像データおよび情報ＩＸ２を受取る（ステップ６８）。受取った情報ＩＸ２は駒番号に対応してハード・ディスクに格納される。また，受取った画像データに基づいてＣＰＵ２１は本スキャンのためのパラメータを生成し，駒番号に対応してメモリ２２に記憶する（ステップ６９）。また，フイルム・スキャナ３０に駒送りの指示を与える（ステップ７１）。
【０１４５】
駒送り指示に応答してフイルム・スキャナ３０は次の駒をスキャン位置に位置決めする（ステップ８９）。
【０１４６】
ＣＰＵ２１によるプレスキャン指示ならびに画像データおよび情報ＩＸ２の送出指示（ステップ６６，６７），これに応答したフイルム・スキャナ３０による１駒の画像のプレスキャン，情報ＩＸ２の読取り，ならびに得られた画像データおよび情報ＩＸ２の送出（ステップ８６，８７）　，ならびに受取った画像データに基づくＣＰＵ２１によるパラメータの生成および情報ＩＸ２の一時記憶（ステップ６８，６９）が，最後の駒について終了するまで繰返される（ステップ７０，８８）。フイルム・スキャナ３０において最終駒かどうかはフイルムに付けられた最終駒を示すパーフォレーションに基づいて判断される。
【０１４７】
図１５はフイルム・スキャナ３０における本スキャン動作を制御するＣＰＵ２１の動作を，図１６はフイルム・スキャナ３０における本スキャン動作を示している。プレ・スキャン処理と異なる点について説明する。
【０１４８】
ＣＰＵ２１は本スキャン用初期パラメータをフイルム・スキャナ３０に送る（ステップ９２）。この初期パラメータにはフイルムの送りピッチが含まれる。細かい解像度を得るための送りピッチであり，たとえば解像度が２０４８×３０７２画素になるように設定される。
【０１４９】
また，プレスキャン処理において駒ごとに作成したパラメータ（明るさ，色補正値等）を，ＣＰＵ２１は各駒の本スキャンごとにフイルム・スキャナ３０に与える（ステップ９４）。
【０１５０】
これに応答してフイルム・スキャナ３０は，ＣＰＵ２１から与えられたパラメータを各駒のスキャニングに先だって設定する（ステップ１０４　）。
【０１５１】
フイルム・スキャナ３０は各駒の画像をスキャニングしながら得られた細かい解像度のディジタル画像データをメモリ３２に蓄積していく（ステップ１０５　）。一駒の画像についてのスキャンが終了すると，フイルム・スキャナ３０は得られた画像データをＣＰＵ２１に送る（ステップ１０６　）。フイルムの各駒の画像データを得るときに，トリミング，拡大処理等を行なってよいのはいうまでもない。
【０１５２】
ＣＰＵ２１はフイルム・スキャナ３０から転送された画像データをハード・ディスク・ドライバ２５を制御して，ハード・ディスクに一時的に保存する（ステップ９７，９８）。
【０１５３】
１本のフイルムのすべての駒についての画像データを受取りかつハード・ディスクに保存すると，ＣＰＵ２１はこれらの画像データを編集して情報ＩＸ１，ＩＸ２とともにユーザ用光ディスクに格納する処理に移る。この処理が図１７および図１８に示されている。ＣＰＵ２１はこの処理をユーザ用ディスク記録装置４１を制御して行なう。
【０１５４】
上述したようにユーザ用ディスクにはハイブリッド・ディスクと一般的なディスクがある。ハイブリッド・ディスクにはそのＲＯＭ領域に番組を作成するための資源があらかじめ格納されている。一般的なディスクではこの資源を書込む処理が必要である。
【０１５５】
図１７はハイブリッド・ディスクへの書込み処理であり，図１８は一般的なディスクへの書込み処理を示している。
【０１５６】
図１７において，まずアルバム名の設定が行なわれる。アルバム名はフイルムから読取られたフイルム情報ＩＸ１に基づいて自動的に設定される。フイルム情報ＩＸ１はイベントを表わしており，イベント名がアルバム名となる。設定されたアルバム名を用いて光ディスク内にディレクトリィの作成（ディレクトリィ・データの追加）が行なわれる（ステップ１１１　）。
【０１５７】
ハード・ディスクから読出されたフイルム情報ＩＸ１が設定されたアルバム名のインデックス・ファイルに格納される（ステップ１１２　）。
【０１５８】
ハード・ディスクに一時的に格納された第ｎ番目（ｎ＝１，２，３，…）の画像（駒）の画像データ（撮影画Ａ３）が読出され（ステップ１１３　），この画像データを縮小処理することにより，撮影画Ａ１，Ａ２の画像データが作成されるとともに，所定のフォーマットに変換される（画像データの圧縮処理を含む）（ステップ１１４　）。
【０１５９】
これらの画像データはフレーム情報ＩＸ２（ハード・ディスクから読出される）とともに光ディスク内のアルバム（画像ファイル）内に，第ｎ番目の駒に関するものとして，書込まれる（ステップ１１５　）。さらに縮小画像データ（撮影画Ａ１）がインデックス・ファイル内に格納される（ステップ１１６　）。
【０１６０】
ハード・ディスクに一時的に保存されたすべての画像データおよび情報ＩＸ２について画像（駒）ごとにステップ１１３　〜１１６　の処理が順次行なわれていく。
【０１６１】
すべての画像データについて光ディスクへの格納が終了すると（ステップ１１７　でＹＥＳ　），代表画像が選択される。表示装置２６に，先に作成された縮小画像が表示され，オペレータがその中から，１本のフイルムに含まれる画像を端的に表わす（または，後日の検索に役立つと思われる）縮小画像を選択する。選択された縮小画像のデータは代表画像データとしてインデックス・ファイルに登録される（ステップ１１８　）。代表画像の選択はユーザの意見に基づくことが好ましい。
【０１６２】
図１８に示す一般的ディスクの記録処理は，図１７に示すものと基本的に同じである。異なる点は，一般的なディスクでは資源の書込み処理があることである（ステップ１１９　）。
【０１６３】
番組作成のための資源（画像部品，音部品）はすべてのイベンドについてラボラトリィ・システムの適当な記録媒体（たとえばコンピュータ・システム２０内のハード・ディスクまたは光ディスク等）にあらかじめ記録されている。全画像データのユーザ用ディスクへの書込みが終了したのちに（ステップ１１７　でＹＥＳ　），フイルムから読取られたフイルム情報ＩＸ１によって表わされるイベントについての資源が上記ハード・ディスクから読出され，ユーザ用ディスクの資源エリアに書込まれる（ステップ１１９　）。
【０１６４】
（６）　番組作成のための資源（画像部品および音部品）
イベントごとに，一連の画像部品および一連の音部品が設けられる。
【０１６５】
図１９はイベント・コード（番号）＝０１の運動会について設定された一連の画像部品の例を示している。これらの一連の画像部品には０からｍ＋１までの番号が付けられている（画像部品はｍ＋２個設けられている）。画像部品は，絵，絵と文字の結合，枠，文字等を表わす画像データである。
【０１６６】
ＮＯ．０の画像部品はスタートアップ・イメージ（タイトル画）と呼ばれるもので，一般に番組の開始時に表示される。スタートアップ・イメージはイベントの内容を端的に表現するもので（一般に絵と文字の合成画像である），一般に撮影画（写真画像）と合成されることなく単独で表示（再生）される。
【０１６７】
ＮＯ．ｍ＋１の画像部品はイベントを文字で表現する文字画像である。この文字画像にｍ＋１以外の番号を付けてもよいのはいうまでもない。
【０１６８】
ＮＯ．１〜ＮＯ．ｍ＋１（文字画像）の画像部品は撮影画と組合されて合成画像を作成するために用いられる。一本のフイルムに記録される撮影画の数（駒数）をｎ（たとえばｎ＝４０）とすると，一般にｍ≧ｎである。すなわち，一本のフイルムに含まれる画像数以上の画像部品が設けられる。
【０１６９】
このような画像部品は，Ｒ，Ｂ，Ｇの画像データとして，輝度Ｙ画像データと色差Ｃ画像データの集まりとして，データ圧縮されてまたは圧縮されずにユーザ用記録媒体に記録される，またはされている。これらの画像部品を再生時に間引き，平均化等により縮小することができるのはいうまでもない。
【０１７０】
図２０（Ａ）　〜（Ｄ）　は他のイベントについてのスタートアップ・イメージの例を示すものである。（Ａ）　は上述した運動会を表わすもの（イベント・コード＝０１），（Ｂ）　は結婚を表わすもの（イベント・コード＝０３），（Ｃ）　はクリスマスを表わすもの（イベント・コード＝０５），（Ｄ）　はパーティを表わすものである（イベント・コード＝９９）。
【０１７１】
音部品は音（音楽，効果音，ナレーション等）を表わすデータによって構成される。一つのイベントについてまたフイルムの駒数ｎよりも多い数の音部品が設けられる。音部品ＮＯ．０はスタートアップ・サウンドと呼ばれ，番組の開始時に再生される音を表わす。
【０１７２】
画像部品および音部品のいずれも，イベント・コードと部品ＮＯ．　によって特定される。
【０１７３】
（７）　再生装置
図２１はユーザが利用する再生装置の電気的構成を示している。再生装置は最も一般的にはユーザの自宅に設けられる。ユーザの勤める会社，写真を多く取扱う業種の会社，写真現像，焼付の取扱店，写真店，ラボラトリィ等にも配置されうる。
【０１７４】
再生装置は基本的には，後に詳述するように，ユーザ用ディスクのアルバムに格納された画像データを用いて番組を作成し，作成した番組（スライド・ショー）（画像と音とからなる）を再生する機能をもつ。再生装置はまた，ユーザ用ディスクに記録された縮小ディジタル画像データによって表わされる縮小画像を表示装置の表示画面に表示する機能，焼増の注文を行なう機能等をもつ。
【０１７５】
再生装置は制御装置１２０　を中心に構成され，この制御装置１２０　には，パスを介して，画像表示装置１２１　，表示制御装置１２２　，画像入力回路１２３　，画像圧縮伸張回路１２４　およびメモリ１２５　が接続され，ＳＣＳＩバスを介して，ディスク・ドライバ１２６　，プリンタ１２７　，通信装置１２９　等が接続されている。
【０１７６】
画像表示装置１２１　はＣＲＴ表示装置等を含む。この表示装置１２１　はＲＧＢ映像信号を出力することができる。
【０１７７】
表示制御装置１２２　は表示装置１２１　における画像表示を制御するもので，画像信号プロセッサ，ＶＲＡＭ等を含む。この制御装置１２２　は与えられた２種類の画像データ（たとえば撮影画の画像データと画像部品を表わす画像データ）とをＶＲＡＭ上で合成する機能をもつ。制御装置１２２　はまた，文字コードが与えられたときに，この文字コードによって表わされる文字の画像データを生成し，この文字画像を他の画像と合成して表示装置１２１　に表示させる機能をもつ。
【０１７８】
画像入力回路１２３　は外部から与えられるＮＴＳＣ映像信号等を取込み，ＲＧＢデータ等に変換する作用を行う。
【０１７９】
画像圧縮伸張回路１２４　は，ユーザ用ディスクから読出された圧縮画像データの伸張処理，非圧縮画像データの圧縮処理等を行う。
【０１８０】
メモリ１２５　はたとえばＤＲＡＭで構成され，画像データの一時記憶，その他のワーク・エリアとして用いられる。
【０１８１】
ディスク・ドライバ１２６　はユーザ用光ディスクからのデータの読出し，同ディスクへのデータの書込みを行なうものである。このディスク・ドライバ１２６　には，ユーザ用光ディスクから読出された音データを再生する回路（Ｄ／Ａ変換器等）も含まれている。この音再生回路の出力信号はステレオ・スピーカ１２８　に与えられる。
【０１８２】
プリンタ１２７　は，画像データによって表わされる画像をプリントして写真を作成するものである。
【０１８３】
通信装置１２９　は必要に応じて設けられ，上述した焼増注文データ等の伝送の他に，ラボラトリィ・システム，その他のコンピュータ・システムから伝送される資源を受信する機能をもつ。この場合には，ユーザ用ディスクに資源を格納する必要はなくなる。
【０１８４】
制御装置１２０　は，ＣＰＵ，ＲＯＭ，ＲＡＭ，タイマ，カレンダー回路，リモート・コントロール・インターフェイス，ＳＣＳＩインターフェイス等を含み，後述する再生回路を実行する。入力装置としてはリモート・コントローラ（図示略）が用いられているが，制御装置１２０　に接続されたキーボード，マウス等によって入力装置を構成することもできる。
【０１８５】
制御装置１２０　のＣＰＵの実行プログラムはＲＯＭに格納されるが，その一部（たとえば再生プログラム）をユーザ用ディスクに格納しておいてもよい。この場合にはＣＰＵはユーザ用ディスクからプログラムをロードした上で実行することになる。
【０１８６】
ユーザはユーザ用ディスクに格納されている資源以外に，番組作成のために必要な，所望の画像，音（これらも部品という）を入力することができる。画像はたとえば画像入力回路１２３　から入力されよう。または，画像もしくは音を記録した媒体（光ディスク）をディスク・ドライバ１２６　もしくは別に設けられかつ制御装置１２０　に接続された他の再生装置に装填し，これらのドライバ，再生装置から画像データもしくは音データを発生させるようにしてもよい。このような画像データ，音データはユーザ用ディスクの追加画像ファイルもしくは追加音ファイルに格納されよう。
【０１８７】
（８）　番組の再生
上述したように番組の再生（スライド・ショー）は，フイルムから読取った撮影画像（写真画像）を，対応する画像部品と合成して順次表示するとともに，この画像表示に関連して音部品による音（サウンド）を流す（発生させる）ことである。番組の再生において発生する画像（静止画）と音のシーケンスの一例が図２２に示されている。
【０１８８】
まずスタートアップ・イメージ（画像部品のＮＯ．０）が表示装置１２１　に表示され，かつスタートアップ・サウンド（音部品ＮＯ．０）がスピーカ１２８　から発生する。続いて，フイルムの画像＃１と画像部品ＮＯ．１の合成画像が表示され，音部品ＮＯ．　１の音が流れる。さらにフイルムの画像＃２と画像部品ＮＯ．２の合成画像が表示され，音部品ＮＯ．２の音が流れる。このように，フイルムから得られた画像データに表わされる画像と，資源中の対応する画像部品との合成画像が順次表示されるとともに，電源中の対応する音部品による音が発生することになる。
【０１８９】
音と画像が１対１に対応しているが，必ずしも１対１に対応させる必要はない。一つの音部品によって表わされる音を複数の画像の表示期間にわたって流してもよい。極端な場合には１本のフイルムのすべての画像の表示期間に一つの音部品（スタートアップ・サウンドのみでもよい）のみを用いてもよい。フイルムから得られた画像データによって表わされる画像のうちには，画像部品と合成しないで表示するものがあってもよい。
【０１９０】
画像合成および音の発生のために用いられる資源はフイルムから読取られた情報ＩＸ１の表わすイベントに対応するものであり，これは上述したようにユーザ用ディスクに記録されている。
【０１９１】
ある音の出力または画像の表示が開始された時点から，次の音の出力または画像の表示が開始されるまでの時間を，遷移時間という。一つの画像が表示されている時間を表示時間という。表示時間は固定でもよい。ある音の出力の停止または画像の表示終了の時点から，次の音の出力の開始または画像の表示開始までの時間を遷移時間と定義してもよい。相互に対応する合成画像の表示開始と音の発生開始とを同時点としてもよい。遷移時間や表示時間は任意に定めることもできるし，あらかじめ定められた固定値でもよい。
【０１９２】
図２３（Ａ）　〜（Ｄ）　はイベント・コード＝０１の運動会について，図１９に示された画像部品を用いて合成されかつ表示される画像の例を示している。
【０１９３】
図２３（Ｂ）　〜（Ｄ）　において現われている「スタートまえ」，「スタート」，「おゆうぎ」等の文字はフイルムから読取られたフレーム情報ＩＸ２に基づいて作成されたものである。各画像に対応して記憶されているフレーム情報ＩＸ２に含まれる文字コードによって表わされる文字画像データが表示制御装置１２２　の画像信号プロセッサ（Ｇｒａｐｈｉｃ　Ｓｉｇｎａｌ　Ｐｒｏｃｅｓｓｏｒ）で生成され，この文字画像データが，撮影（写真）画像のデータおよび画像部品の画像データとともにＶＲＡＭ上で合成される。このような情報ＩＸ２を表わす文字の表示の有無は，再生装置のリモート・コントローラによって指令することができる。リモート・コントローラからの指令（オン／オフ信号）に応答して，制御装置１２０　は情報ＩＸ２を表わす文字画像の発生と合成を行なわせたり，止めさせたりするよう制御する。
【０１９４】
図２４は合成画像の他の例を示している。これは，画像＃ｎの撮影（写真）画像と画像部品ＮＯ．　ｍ＋１（文字画像）とを合成したものである。後に示すように，最も単純な実施例では，撮影画像の番号とこれと合成させるべき画像部品の番号とはあらかじめ定められているが，図２４に示すように，ユーザが撮影画像と画像部品との組合せを任意に決定することもできる。
【０１９５】
このような再生すべき１つの画像（合成画像）または一つづきの音は画像キャストまたは音キャストによって記述され，それらの再生の順序はスクリプト・ファイルに記述される。スクリプト・ファイル，画像キャストの集合体である画像キャスト・ファイル，および音キャストの集合体である音キャスト・ファイルは，再生装置によって自動的に（またはユーザが変更，修正した上で）作成され，ユーザ用ディスクに記録される。
【０１９６】
スクリプト・ファイルの一例が図２５に示されている。このスクリプト・ファイルは図２２に示すシーケンスを表わしたものである。ＰＬＡＹは再生命令を，Ａｕｄｉｏ　Ｃａｓｔは音キャストを，Ｉｍａｇｅ　Ｃａｓｔは画像キャストをそれぞれ表わしている。ＰＬＡＹ　Ａｕｄｉｏ　Ｃａｓｔ　（０）　が一つの命令文（ステートメント）であり，これは音キャスト（０）　を再生せよということを意味している。これらの命令文は再生すべき順番に記述される。したがって，音（０）　，画像（０）　，画像（１）　，音（１）　，音（２）　の順番に再生される。スクリプト・ファイルにおいて，命令ＰＬＡＹはその記述を省略することができる。画像キャストや音キャストに記述されている遷移時間，表示時間をスクリプト・ファイルに記述してもよい。
【０１９７】
図２６は画像キャスト（Ｉｍａｇｅ　Ｃａｓｔ）の構造の一例を示している。画像キャストは，ヘッダ，アルバム名，（合体型）画像ファイル名，合体情報，遷移時間（表示時間），画像出現効果，画像出現効果時間，画像の解像度，位置情報，拡大倍率等を含む。画像キャストには画像キャスト番号が付けられている。
【０１９８】
ヘッダは画像キャストであることを示すものである。
【０１９９】
アルバム名および（合体型）画像ファイル名は，再生すべき画像ファイル（合体型画像ファイルまたはそれ以外の画像ファイル）を示すものである。
【０２００】
合体情報は合体型画像ファイルが指示されていた場合に用いられるもので，合体型画像ファイルに含まれる複数の画像データのうちのどれを用いるのかという情報（合体させる画像の種類）と，合成（合体）方法とを含む。合体させるべき画像の種類に関する情報には，合体させるか，させないかの情報も含まれる。これは次に示すイメージ・ミックス・ディスクリプタによって記述される。合体させる場合には合体させるべき画像データが必要に応じて明示される。合体させない場合には，どの画像（自然画，文字画像）を用いるかが記述される。合体方法にはＯＲ，ＡＮＤ，ＮＯＲ等がある。
【０２０１】
イメージ・ミックス・ディスクリプタは２ビットの記述子を含む。この記述子は００，０１，１０の値をとる。
【０２０２】
記述子００は，画像ファイルにある画像（撮影画像Ａ１，Ａ２，Ａ３のいずれか）をそのまま（他の画像と合体することなく）表示すべきことを指示するものである。
【０２０３】
記述子０１は，合体型画像ファイルにある文字画像Ｂを撮影画像（Ａ１，Ａ２またはＡ３）と合体させて表示すべきことを指示する。
【０２０４】
記述子１０は，画像ファイルにある撮影画像（Ａ１，Ａ２またはＡ３）を，資源にある画像部品と合成して表示すべきことを指示する。特に指定がない限り，撮影画像と同じ番号をもつ画像部品が合成されるべきものとなる。もちろん，ユーザが合体させるべき画像部品の番号を指示してもよい。
【０２０５】
追加画像ファイルにある画像部品を撮影画像に合体させたい場合には，その画像部品の番号を指示して記述しておけばよい。この場合に，記述子として１１を用いるようにしてもよい。
【０２０６】
画像キャスト（０）　はスタートアップ・イメージの表示を指示するものと決っているので，イメージ・ミックス・ディスクリプタは再生プログラム上で無視されよう。
【０２０７】
遷移時間および表示時間は上述した通りのものである。表示時間は必ずしもなくてもよい。
【０２０８】
画像出現効果は，画像の表示を開始するときに，いきなり全画面を表示するのか（全画面を瞬間的に切替えるのか），両開きのドア（またはカーテン）を開けるような態様で次の画像を表示するのか，右から左に掃引しながら次の画像を表示するか，上から下に掃引しながら画像を表示しはじめるのか，中心から徐々に表示領域を拡大しながら絵を出現させるのかというような画面効果を選択するものである。画像出現効果時間は，画像の一部の出現開始から全部が出現するまでの時間である。
【０２０９】
画像ファイル内にある３種類の撮影画像Ａ１，Ａ２，Ａ３のうち，表示すべきものが画像の解像度で指示される。解像度は１／６４，１／１，４／１によってそれぞれ画像Ａ１，Ａ２，Ａ３が指定される。
【０２１０】
位置情報は，表示すべき画像の表示画面上における位置を表わす。例えば，表示すべき画像の中心のＸ，Ｙ座標で表現される。
【０２１１】
拡大倍率（縮小倍率も含む）は表示する画像を拡大または縮小するときの倍率を表わす。
【０２１２】
図２７は音キャスト（Ａｕｄｉｏ　Ｃａｓｔ）の構造の一例を示している。音キャストにはヘッダ，音部品ＮＯ．，遷移時間が含まれる。音キャストにもその番号が割当てられている。資源の音部品ではなく，追加音ファイルの音部品を用いる場合にはその音部品ＮＯ．が用いられる。
【０２１３】
音部品として音を表わす音ディジタル・データ（ＡＤＰＣＭ：Ａｄａｐｔｉｖｅ　Ｄｉｆｆｅｒｅｎｔｉａｌ　Ｐｕｌｓｅ　Ｃｏｄｅ　Ｍｏｄｕｌａｔｉｏｎ　）されたものを含む以外に，音が記録された媒体における音が記録されている場所（トラック番号）を表わすデータや，ＭＩＤＩ（Ｍｕｓｉｃａｌ　Ｉｎｓｔｒｕｍｅｎｔ　Ｄｉｇｉｔａｌ　Ｉｎｔｅｒｆａｃｅ）データでもよい。前者の場合には，音キャストには，指定されたトラックにおける再生すべき時間帯（スタート・タイムとエンド・タイム）を表わすデータが格納されよう。再生装置には記録媒体の再生機や電子楽器が設けられよう。
【０２１４】
（９）　番組の作成
番組の作成（画像キャスト，音キャスト，スクリプト・ファイルの作成）は原則的に再生装置で行なわれる。もっとも，ラボラトリィ・システムのコンピュータ・システム２０に番組を作成させるようにしてもよい。
【０２１５】
図２８から図３０は再生装置による再生および番組作成処理の手順を示している。
【０２１６】
ユーザ用ディスク内に複数のアルバム（複数本のフイルムの画像データ）がある場合には，再生すべき（番号を作成すべき）アルバムの選択が行なわれる（ステップ１３０　）。
【０２１７】
ユーザ用ディスクに格納されているすべてのアルバムの少なくとも名称が表示装置１２１　に表示される。ユーザはこの名称一覧表から所望のアルバムをリモート・コントローラを用いて選択する。アルバムを代表する代表画像，またはアルバムに含まれる縮小画像を表示してアルバムの選択を促してもよい。
【０２１８】
再生方法には自動とマニアルがある（ステップ１３１　）。自動再生が選択された場合には，ユーザ用ディスク内の該当するアルバムのインデックス・ファイルが読出され，その中にあるフイルム情報ＩＸ１が認識される（ステップ１３２　）。この情報ＩＸ１によって表わされるイベントに関する資源がユーザ用ディスク内にあるかどうかがチェックされる（ステップ１３３　）。
【０２１９】
該当する資源が存在すれば自動再生（番組の再生）が可能である。指定されたアルバム名に対応する番組（スクリプト・ファイル，画像キャスト，音キャスト）が既に作成されているかどうかがチェックされる（ステップ１３４　）。番組が作成されていれば番組の自動再生に進む（ステップ１３５　）。
【０２２０】
番組の自動再生においては，先に説明したように，該当するスクリプト・ファイルが読出され，このスクリプト・ファイルの記述にしたがって該当する画像キャストおよび音キャストが読出される。画像キャスト内の各種データの指示にしたがって，画像ファイル内の撮影画像および画像部品のデータが読出され，これらが合成されて表示されるとともに，音キャストの指示にしたがって音部品データが読出され，その音が再生される（最も一般的な場合）。イメージ・ミックス・ディスクリプタの内容によっては画像の合成が行なわれない場合がある。指示されていたときには画像出現効果が表示される。画像と音は遷移時間（表示時間）の間，再生される。音については，すべての音データの再生が終了することにより終えるようにしてもよい。
【０２２１】
番組が作成されていない場合には，番組の自動作成（図２９，図３０）に進む。ユーザに番組をマニアルで作成させるようにしてもよい。
【０２２２】
情報ＩＸ１によって指定される資源が存在しない場合には，自動再生ができない旨が表示され（ステップ１３６　），単純再生に移る（ステップ１３７　）。ユーザがマニアル再生を選択した場合にも単純再生になる。
【０２２３】
単純再生では，画像ファイル内に格納されている撮影（写真）画像がその番号の順に，一定時間間隔で，またはユーザの次ボタンの入力に応答して，順次表示される。画像の合成および音の発生はない。ユーザは駒番号を指定することができる。この場合には指定された駒の画像が表示されることになる。
【０２２４】
番組の自動作成において，まずスタートアップ・イメージの画像キャスト（０）　およびスタートアップ・サウンドの音キャスト（０）　が作成される（ステップ１４０　）。カウンタｎが１に初期化される。
【０２２５】
このカウンタｎによって指示される撮影画像＃ｎがアルバム（画像ファイル）内に存在しない場合にはエラーとなる（ステップ１４１　）。ユーザはこの画像＃ｎをぬかして番組を作成するよう指示することもできる。
【０２２６】
画像＃ｎと同じ番号ｎをもつ画像部品ＮＯ．　ｎが資源ファイル内に存在するかどうかがチェックされる（ステップ１４３　）。画像部品ＮＯ．　ｎが存在すれば，イメージ・ミックス・ディスクリプタの記述子が１０にセットされ，存在しなければ００にセットされた上で，この画像部品ＮＯ．ｎを用いて画像キャスト（ｎ）　が作成される（ステップ１４４　，１４５　）。画像キャスト（ｎ）　の作成において，各種パラメータ（遷移時間，画像出現効果，合成方法等）としては，あらかじめ定められたデフォルト値が用いられる。もっとも，ユーザに指定させるようにしてもよい。
【０２２７】
続いて音番号ＮＯ．　ｎがあるかどうかがチェックされ（ステップ１４６　），存在すればこの音部品ＮＯ．　ｎを用いて音キャストが作成される（ステップ１４７　）。
【０２２８】
音部品ＮＯ．ｎが存在しない場合にはエラーとなる。この場合に，ユーザに他の音部品を選択するよう指示してもよい。そうすれば音キャストの作成が可能となる。音部品ＮＯ．ｎが存在しない場合にエラーとせずに音キャストを作成しないとしてもよい。さらに，既に作成された音キャストの音部品によって表わされる音の再生期間が，複数駒の画像の表示時間に相当する場合には，ステップ１４６　，１４７　を省略することもできる。
【０２２９】
カウンタｎをインクレメントしながら（ステップ１４８　），アルバム内のすべての画像について上述の処理が行なわれる（ステップ１４１　）。
【０２３０】
最後にスクリプト・ファイルが作成される（ステップ１４９　）。スクリプト・ファイルにおいては画像キャストと音キャストがその番号の順番に記述されればよい。上述したように，画像キャストと音キャストとが常に１対１で組合わされる必要はない。
【０２３１】
作成された画像キャスト，音キャスト，スクリプト・ファイルはユーザ用ディスクに保存される。
【０２３２】
この後，ユーザが再生を望めば（ステップ１５０　），作成された番組の自動再生が行なわれ（ステップ１５１　），望まなければすべての処理が終る。
【０２３３】
このようにして自動作成された番組を，ユーザは好みに応じて，または必要に応じて修正ないしは変更することができる。そのための処理が図３１に示されている。
【０２３４】
修正ないしは変更（追加を含む）できる項目としては，スクリプト・ファイル，画像キャストおよび音キャスト（キャスト），追加画像および追加音等がある。まずこれらの項目が選択される（ステップ１６０　）。
【０２３５】
スクリプト・ファイルの変更の場合には，まずユーザ用ディスクからスクリプト・ファイルが読出され，表示装置１２１　に表示される（ステップ１６１　）。ユーザは表示画面をみながら，リモート・コントローラ（またはキーボード，マウス等）で，スクリプト・ファイルに記述された各キャストの番号や順番を修正する（ステップ１６２　）。修正後のスクリプト・ファイルはユーザ用のディスクに保存される（ステップ１６３　）。
【０２３６】
キャストの修正においては，修正すべきキャストの種類と番号がユーザによって入力されると（ステップ１６４　），そのキャストの内容が表示される（ステップ１６５　）。ユーザは同じように入力装置を用いてキャストを修正すれば（ステップ１６６　），修正後のキャストがユーザ用ディスクに保存される（ステップ１６７　）。
【０２３７】
合体させるべき画像部品をユーザが選択しやすいように，各画像部品の縮小画像データを作成し（または，あらかじめ作成してユーザ用ディスクに記録しておき），これらをマルチ画面で表示させるようにすることが好ましい。音部品についても，ユーザの指定により再生できることが好ましい。
【０２３８】
ユーザは追加したい画像を画像入力回路１２３　から入力することができる。この回路１２３　にはテレビジョンやビデオ・デッキ等の出力映像信号が与えられ，その表示をみながらユーザは所望の画面を選択できる。または，ユーザの作成した画像をビデオ・カメラで撮影してその映像信号を回路１２３　に入力することもできる。ユーザはまた，所望の音を再生装置から入力することができる（ステップ１６８　）。
【０２３９】
このようにして入力された画像または音に部品番号が付与され（ステップ１６９　），ユーザ用ディスクの追加画像ファイルまたは追加音ファイルに保存される（ステップ１７０　）。
【０２４０】
マニアルによる番組作成もこの修正または変更と同じようにして行うことができる。
【０２４１】
（１０）その他
この再生装置を用いてユーザは所望の画像の写真をプリントすることができる。ユーザが所望の画像を容易に選択できるようにするために，各画像を長い時間表示しておくことが好ましい（すなわち，画像の切替をゆっくりと行う）。
【０２４２】
そのために再生装置に印刷画面選択モードが設けられている。このモードはリモート・コントローラによって選択することができる。このモードが選択されると，印刷画面選択モードであることが表示画面に表示される。
【０２４３】
印刷画面選択モードでは，キャスト中の遷移時間が無視され，画像の表示画面はゆっくりと（たとえば，一秒間隔で）順次（スクリプト・ファイルに記述された順序で）切換っていく。また，このモードでは音の再生は行なわれない。
【０２４４】
図面の切換えの時間間隔はリモート・コントローラのボタンを用いてユーザが任意に設定できるようにしておくことが好ましい。
【０２４５】
ユーザが所望の画像を見つけると，リモート・コントローラを用いて修正割込を入力することができる。画面の切換えは停止され，最後に表示された画像が表示され続ける。画面にはまた「現在表示中の画像を印刷することを確認せよ」という旨のメッセージが表示される。
【０２４６】
ユーザが確認を入力すると，表示されている画像を表わす画像データ（最も解像度の高い画像データＡ３）がプリンタ１２７　に与えられ，写真のプリントが行なわれる。このとき，表示画面には「印刷中」であることが表示される。もちろん，ユーザは所望枚数の写真をプリントすることができる。この後，再び印刷画面選択モードの動作に戻る。
【図面の簡単な説明】
【図１】情報記録部付写真フイルムを示す。
【図２】情報記録部に記録されるデータのフォーマットを示す。
【図３】情報記録部付写真フイルムを取扱うことが可能なカメラの一部を示す。
【図４】ラボラトリィ・システムの運用の一例を示す。
【図５】ラボラトリィ・システムの電気的構成を示すブロック図である。
【図６】図５におけるフイルム・スキャナとコンピュータ・システムの構成を示すブロック図である。
【図７】フイルム・スキャナの構成を示す。
【図８】ハイブリッド・ディスク（ユーザ用ディスク）のデータ記録構造を示す。
【図９】一般的なディスク（ユーザ用ディスク）のデータ記録構造を示す。
【図１０】ユーザ用ディスクのディレクトリィ，インデックス・ファイルおよびアルバムの構成例を示す。
【図１１】インデックス・ファイルの詳細を示す。
【図１２】画像ファイルの詳細を示す。
【図１３】プレスキャン処理のためのＣＰＵの制御手順を示すフロー・チャートである。
【図１４】フイルム・スキャナにおけるプレスキャン動作を示すフロー・チャートである。
【図１５】本スキャン処理のためのＣＰＵの制御手順を示すフロー・チャートである。
【図１６】フイルム・スキャナにおける本スキャン動作を示すフロー・チャートである。
【図１７】ハイブリッド・ディスクへのデータ記録手順を示すフロー・チャートである。
【図１８】一般的なディスクへのデータ記録手順を示すフロー・チャートである。
【図１９】一つのイベントに関する画像部品の例を示す。
【図２０】画像部品におけるスタートアップ・イメージの例を示す。
【図２１】再生装置の構成を示すブロック図である。
【図２２】番組（スライド・ショー）の再生の様子を示すタイム・チャートである。
【図２３】（Ａ）　，（Ｂ）　，（Ｃ）　および（Ｄ）　は再生される合成画像の例を示す。
【図２４】合成画像の他の例を示す。
【図２５】スクリプト・ファイルの例を示す。
【図２６】画像キャストの詳細を示す。
【図２７】音キャストの内容を示す。
【図２８】再生処理手順を示すフロー・チャートである。
【図２９】番組作成処理手順を示すフロー・チャートである。
【図３０】番組作成処理手順を示すフロー・チャートである。
【図３１】番組の修正処理手順を示すフロー・チャートである。
【符号の説明】
１　　写真フイルム
３ｃ　　ユーザ用フイルム情報記録部
３ｄ　　ユーザ用フレーム情報記録部
４　　画像記録領域
２０　　コンピュータ・システム
３０　　フイルム・スキャナ
４１　　ユーザ用ディスク記録装置
１２０　　　制御装置
１２１　　　画像表示装置
１２２　　　表示制御装置
１２３　　　画像入力回路
１２６　　　ディスク・ドライバ
１２７　　　プリンタ
１２８　　　スピーカ
【図１】
2004079156.tif 000003
【図２】
2004079156.tif 000004
【図３】
2004079156.tif 000005
【図４】
2004079156.tif 000006
【図５】
2004079156.tif 000007
【図６】
2004079156.tif 000008
【図７】
2004079156.tif 000009
【図８】
2004079156.tif 000010
【図９】
2004079156.tif 000011
【図１０】
2004079156.tif 000012
【図１１】
2004079156.tif 000013
【図１２】
2004079156.tif 000014
【図１３】
2004079156.tif 000015
【図１４】
2004079156.tif 000016
【図１５】
2004079156.tif 000017
【図１６】
2004079156.tif 000018
【図１７】
2004079156.tif 000019
【図１８】
2004079156.tif 000020
【図１９】
2004079156.tif 000021
【図２０】
2004079156.tif 000022
【図２１】
2004079156.tif 000023
【図２２】
2004079156.tif 000024
【図２３】
2004079156.tif 000025
【図２４】
2004079156.tif 000026
【図２５】
2004079156.tif 000027
【図２６】
2004079156.tif 000028
【図２７】
2004079156.tif 000029
【図２８】
2004079156.tif 000030
【図２９】
2004079156.tif 000031
【図３０】
2004079156.tif 000032
【図３１】
2004079156.tif 000033